(57)【要約】【課題】扉体を閉めた状態でも洗浄槽内部の状態を確認できるとともに、食器類による傷つきにも強く、優れた透明性を有するガラスを用いて、デザイン性の高い食器洗い機を実現する。【解決手段】扉体を表面扉体１５と裏面扉体１６とで形成し、前記表面扉体１５と裏面扉体１６のいずれも少なくとも一部を透明または半透明とするとともに、前記裏面扉体１６の透明または半透明とした部分はガラスで構成する。【選択図】図１
2005342383.tif 000002
【特許請求の範囲】
【請求項１】
食器洗い機本体と、前記食器洗い機本体内に設けた洗浄槽と、前記洗浄槽に設けた開口部を開閉する扉体とを備え、前記扉体は表面扉体と裏面扉体とで形成し、前記表面扉体と裏面扉体のいずれも少なくとも一部を透明または半透明にするとともに、前記裏面扉体の透明または半透明とした部分はガラスで構成した食器洗い機。
【請求項２】
裏面扉体は、枠体とガラスで構成し、ガラスは平板ガラスとした請求項１記載の食器洗い機。
【請求項３】
表面扉体の外周に枠状の不透明部を設け、前記表面扉体の不透明部の内枠のすべてが、前記裏面扉体のガラスの外周に対する法線より内方に位置するよう構成した請求項１または２記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図３に示すように構成していた。以下、その構成について説明する。食器洗い機本体１内に、食器類２を収容する洗浄槽３は前面に開口部４を有し、この開口部４を上扉体と下扉体とに上下に分割された扉体５により開閉するとともに、洗浄槽３の底部に洗浄水を噴射する洗浄のズル６を回転自在に配設している（例えば、特許文献１参照）。
【０００３】
食器洗い機の基本的な動作は、一般的によく知られているので、以下に簡単に述べると、使用者が扉体５を開放し、食器洗い機本体１内の洗浄槽３に配置された食器かごに汚れた食器類２をセットする。つぎに、扉５を閉め、運転を開始すると、洗浄槽３の底部に配置されたヒータ（図示なし）によって洗浄水を加熱しながら、洗浄ノズル６から食器類２に向かって噴射し、食器類２の汚れを落とす洗浄行程を行う。その後、食器類２をすすいだ後、乾燥行程を行って運転を終了する。
【特許文献１】特開２００１−２７５９１５号公報
【発明の開示】
【発明が解決しようとする課題】
【０００４】
しかしながら、このような従来の構成では、扉体５を閉めた状態では洗浄槽３内部の状態が判別しづらく、運転行程が洗浄であるか、すすぎであるかの区別を何らかの方法で表示しなければならなかった。また、洗浄中の食器類２の洗浄が充分に行われているのかの確認を、運転途中で一時停止して、扉体５を開いて確認する必要があるため、非常に煩わしい作業となっていた。
【０００５】
また、内部の様子がわかるよう、扉体５を透明性を有する樹脂で構成した場合、食器類２のセット等の作業により容易に傷がついてしまうという課題を有していた。
【０００６】
また、ガラスを使用する場合、デザイン上の要求から外郭を平面にできず、ガラスをデザイン形状に成型した場合、ガラスの成型上、板厚が５ｍｍ以上必要とされるため、透明部を大きくとると非常に重量が増すため、扉体５の開閉動作が悪くなり、開閉作業がしづらいという課題を有していた。
【０００７】
本発明は、上記従来の課題を解決するもので、扉体を閉めた状態でも洗浄槽内部の状態を確認できるとともに、食器類による傷つきにも強く、優れた透明性を有するガラスを用いて、デザイン性の高い食器洗い機を提供することを目的としている。
【課題を解決するための手段】
【０００８】
本発明は上記目的を達成するために、食器洗い機本体と、前記食器洗い機本体内に設けた洗浄槽と、前記洗浄槽に設けた開口部を開閉する扉体とを備え、前記扉体は表面扉体と裏面扉体とで形成し、前記表面扉体と裏面扉体のいずれも少なくとも一部を透明または半透明にするとともに、前記裏面扉体の透明または半透明とした部分はガラスで構成したものである。
【０００９】
これにより、扉体を閉めた状態でも洗浄槽内部の状態を確認できるとともに、食器類による傷つきにも強く、優れた透明性を有するガラスを用いて、デザイン性の高い食器洗い機を提供するものである。
【発明の効果】
【００１０】
本発明の食器洗い機は、扉体を閉めた状態でも洗浄槽内部の状態を確認できるとともに、食器類による傷つきにも強く、優れた透明性を有するガラスを用いて、デザイン性の高い食器洗い機を実現することができる。
【発明を実施するための最良の形態】
【００１１】
第１の発明は、食器洗い機本体と、前記食器洗い機本体内に設けた洗浄槽と、前記洗浄槽に設けた開口部を開閉する扉体とを備え、前記扉体は表面扉体と裏面扉体とで形成し、前記表面扉体と裏面扉体のいずれも少なくとも一部を透明または半透明にするとともに、前記裏面扉体の透明または半透明とした部分はガラスで構成したことにより、扉体を閉めた状態でも洗浄槽内部の状態を確認できるとともに、食器類による傷つきにも強く、優れた透明性を有するガラスを用いて、デザイン性の高い食器洗い機を提供することができる。
【００１２】
第２の発明は、第１の発明の裏面扉体は、枠体とガラスで構成し、ガラスは平板ガラスとしたことにより、コストを低下できるとともに、板厚を薄くすることが可能となり、扉体の重量を軽減し、扉体の開閉に支障がないようにすることができる。
【００１３】
第３の発明は、第１または第２の発明において、表面扉体の外周に枠状の不透明部を設け、前記表面扉体の不透明部の内枠のすべてが、前記裏面扉体のガラスの外周に対する法線より内方に位置するよう構成したことにより、平板ガラスと裏面扉体との接合部を隠蔽し、外観デザイン性を向上しつつ洗浄槽内の視認性を確保することができる。
【００１４】
以下、本発明の実施の形態について、図面を参照しながら説明する。
【００１５】
（実施の形態１）
図１、図２に示すように、洗浄槽７は、食器洗い機本体８の内部に設け、前方の開口部９を上扉体１０と下扉体１１により開閉するよう構成している。洗浄槽７の底部には、洗浄水を噴射する洗浄ノズル１２を回転自在に配設し、洗浄槽７内に食器類１３を収容する食器かご１４を配置している。
【００１６】
また、上扉体１０は表面扉体１５と裏面扉体１６からなり、表面扉体１５は、ＡＢＳ等の優れた透明性を有する樹脂にポリエステル製のフィルム１７を表面内部にインサートして形成されている。裏面扉体１６は、ＰＰ等の耐薬品性に優れた樹脂製の枠体１８に、表裏両面がほぼ平らな平板ガラス１９を接着剤により固定している。
【００１７】
フィルム１７は平板ガラス１９の外周に対する法線２０より内方を視認性のよい透明とし、それ以外を視認性の悪い色を枠状に印刷して不透明部２１を設けている。このように構成することによって、表面扉体１５側から裏面扉体１６の平板ガラス１９に対する法線方向から見たとき、表面扉体１５の不透明部２１の内枠のすべてが、裏面扉体１６の平板ガラス１９の外周より内方に位置するようにしている。
【００１８】
上記の構成において、その動作、作用を説明すると、扉体である上扉体１０、下扉体１１を閉じるとき、食器かご１４にセットされた食器類１３が裏面扉体１６に衝突する場合があるが、本発明の食器洗い機は樹脂材料より硬質なガラスを使用しているため、傷が生じることが少なく、透明性を長期間維持することができる。また、ガラスは樹脂材料よりも透明性を確保しやすく、扉体（上扉体１０、下扉体１１）の閉成状態でも内部の様子が明瞭に視認できる。
【００１９】
また、表面扉体１５は樹脂製としているため、その外郭を自由な形状を構成することができる。したがって、扉体（上扉体１０、下扉体１１）を閉めた状態でも洗浄槽７内部の状態を確認できるとともに、食器類１３による傷つきにも強く、優れた透明性を有するガラスを用いて、デザイン性の高い食器洗い機を提供することができる。
【００２０】
また、ガラス材料を成形した成形ガラスではなく、平板ガラス１９を使用することで、コストを低下させるとともに、板厚を薄くすることが可能となり、上扉体１０の重量を軽減し、扉体の開閉の支障がないようにすることができる。なお、適度な強度と重量を満たすためには、平板ガラス１９は板厚３ｍｍ程度の熱処理ガラスを使用するのが望ましいが、使用条件に合わせて変更しても問題はない。
【００２１】
また、枠体１８は、ガラスではなく樹脂製としているので、扉体（上扉体１０、下扉体１１）の閉成状態で開口部９との間を水密に保つシール部等の形成が容易である。
【００２２】
また、フィルム１７は平板ガラス１９の外周における表裏平面に対する法線２０より内方を視認性のよい透明とし、それ以外を印刷して枠状の不透明部２１としているため、平板ガラス１９と枠体１８との接合部を容易に隠蔽できるので、扉体の外側から洗浄槽７内部の状態を見たときに、平板ガラス１９と枠体１８との接合部が目に入ることが少なくなり、デザイン性がよく視認性を確保できる食器洗い機を実現できる。
【００２３】
なお、本実施の形態では、表面扉体１５の樹脂および裏面扉体１６の平板ガラス１９を共に透明としたが、双方あるいはいずれか一方を半透明としてもよい。透明部に着色および半透明にする場合、フィルム１７に印刷、表面扉体１０の樹脂に着色、平板ガラス１９に着色する等の方法があるが、表面扉体１５の樹脂に着色する方法がコスト、着色の安定性に優れている。
【００２４】
このように本実施例によれば、食器洗い機本体と、前記食器洗い機本体内に設けた洗浄槽と、前記洗浄槽に設けた開口部を開閉する扉体とを備え、前記扉体は表面扉体と裏面扉体とで形成し、前記表面扉体と裏面扉体のいずれも少なくとも一部を透明または半透明にするとともに、前記裏面扉体の透明または半透明とした部分はガラスで構成したことにより、扉体を閉めた状態でも洗浄槽内部の状態を確認できるとともに、食器類による傷つきにも強く、優れた透明性を有するガラスを用いて、デザイン性の高い食器洗い機を提供することができる。
【００２５】
また、裏面扉体は、枠体とガラスで構成し、ガラスは平板ガラスとしたことにより、コストを低下できるとともに、板厚を薄くすることが可能となり、扉体の重量を削減し扉体の開閉の支障がないようにすることができる。
【００２６】
また、表面扉体の外周に枠状の不透明部を設け、前記表面扉体の不透明部の内枠のすべてが、前記裏面扉体のガラスの外周に対する法線より内方に位置するよう構成したことにより、平板ガラスと扉体との接合部を隠蔽し、デザイン性を向上しつつ視認性を確保することができる。
【産業上の利用可能性】
【００２７】
以上のように、本発明にかかる食器洗い機は、扉体を閉めた状態でも洗浄槽内部の状態を確認できるとともに、食器類による傷つきにも強く、優れた透明性を有するガラスを用いて、デザイン性の高い食器洗い機を提供することが可能となるので、特に家庭用の食器洗い機等として有用である。
【図面の簡単な説明】
【００２８】
【図１】本発明の実施の形態１の食器洗い機の側断面図
【図２】同食器洗い機の正面図
【図３】従来の食器洗い機の側断面図
【符号の説明】
【００２９】
７  洗浄槽
８  食器洗い機本体
９  開口部
１０  上扉体（扉体）
１１  下扉体（扉体）
１５  表面扉体
１６  裏面扉体
１９  平板ガラス（ガラス）
【図１】
2005342383.tif 000003
【図２】
2005342383.tif 000004
【図３】
2005342383.tif 000005